(57)【要約】      （修正有）【課題】使用者が手軽に持ち運びでき、好きな所に置き、布巾、ハンカチ、お手拭きなどの汚れた小物類を、簡単に洗うことができ、かつ、汚れた水を排水できる家庭用洗濯機を提供する。【解決手段】筐体１を有し、かつ、把手４をもって片手で手軽に持ち運びすることができる家庭用洗濯機Ｘである。筐体１の内部は水平仕切板９により駆動源収納部７と水槽部８に二分割され、下方の駆動源収納部７には垂直駆動軸を有するモーター１０が設けられ、一方、上方の水槽部８には駆動モーター１０の駆動力で回転する水平パルセーター１１が設けられ、さらに、水平仕切板９には水槽部８内の汚れた水を排出する排水ホース１５が設けられている。  【選択図】図２
0003212457.tif 000002
【実用新案登録請求の範囲】
【請求項１】
筐体を有し、かつ、把手をもって片手で手軽に持ち運びすることができる家庭用洗濯機であって、前記筐体の内部は水平仕切板により駆動源収納部と水槽部に二分割され、下方の前記駆動源収納部には垂直駆動軸を有するモーターが設けられ、一方、上方の前記水槽部には前記駆動モーターの駆動力で回転する水平パルセーターが設けられ、さらに、前記水平仕切板には前記水槽部内の汚れた水を排出する排水部が設けられている家庭用洗濯機。
【請求項２】
請求項１の家庭用洗濯機に於いて、筐体に開閉自在に設けられた蓋体にはパネル式の操作ボタン及び表示部が設けられていることを特徴とする家庭用洗濯機。
【請求項３】
請求項１の家庭用洗濯機に於いて、駆動モーターの垂直駆動軸の上端部には洗濯物を脱水する脱水槽が設けられ、この脱水槽は水槽部に配設されていることを特徴とする家庭用洗濯機。
【請求項４】
請求項１の家庭用洗濯機に於いて、筐体の水槽部には、蛇口と給水ホースを介して接続する給水部が設けられていることを特徴とする家庭用洗濯機。  
【考案の詳細な説明】
【技術分野】
【０００１】
本考案は、布巾、ハンカチ、お手拭きなどの小物類を簡単に洗濯するための家庭用洗濯機に関する。
【背景技術】
【０００２】
特許文献１及び特許文献２は、それぞれ小型洗濯機に関するものである。普通一般に布巾、ハンカチ、お手拭きなどの小物類の布を洗濯機で洗濯する場合、特定場所に固定的に設置されたやや大型の洗濯機を使用しなければならない。したがって、汚れた少量の布巾、ハンカチ、お手拭きなどの小物を手軽に所望する場所で自由に洗濯することができないという問題点があった。
【０００３】
特許文献１は、洗濯機本体１の上部に洗濯機のフタ２を設け、この洗濯機のフタ２にハンドル５を設けた持ち運び出来る小型洗濯機が記載されている（符号は特許文献１のもの）。
この特許文献１の小型洗濯機は、小型で持ち運びできるという利点があるものの、ハンドル５がフタ２と一体になっているので、小型洗濯機を持ち上げる時、また、洗濯機本体１の内部は水平仕切板を介して上下に分割されていない。さらに、排水手段を有していないため、汚れた水を捨てる場合、そのつど洗濯機本体１を傾け汚れた水を捨てなければならない等の欠点がある。
【０００４】
特許文献２は、下台体１０、洗濯槽２０、蓋体３０により構成された小型洗濯機である。この小型洗濯機は、下台体１０に設けられた内部モーターの伝動シャフト１１により洗濯槽２０に設けられたターンテーブル２１を正、逆回転するものである。
この特許文献２の小型洗濯機は、小型であるものの、駆動部を有する下台１０と、洗濯槽２０と蓋体３０との３つとからなり、これらのフ品は一体的に運ぶものではない。
【０００５】
また特許文献１と同じく排水手段を有しないため、汚れた水をそのつど洗濯槽２０を傾けて捨てなければならない等の問題点があった（符号は特許文献２のもの）。
【先行技術文献】
【特許文献】
【０００６】
【特許文献１】実開平５−２１８８５号公報
【特許文献２】実用新案登録第３０８７６３８号公報
【考案の概要】
【考案が解決しようとする課題】
【０００７】
本考案の主たる課題は、特許文献１及び特許文献２の問題点に鑑み、
家庭用洗濯機に於いて、使用者が手軽に持ち運びでき、好きな所に置き、布巾、ハンカチ、お手拭きなどの汚れた小物類を、簡単に洗うことができ、かつ、汚れた水を排水できることである。
【課題を解決するための手段】
【０００８】
本考案の家庭用洗濯機は、筐体を有し、かつ、把手をもって片手で手軽に持ち運びすることができる家庭用洗濯機であって、前記筐体の内部は水平仕切板により駆動源収納部と水槽部に二分割され、下方の前記駆動源収納部には垂直駆動軸を有するモーターが設けられ、一方、上方の前記水槽部には前記駆動モーターの駆動力で回転する水平パルセーターが設けられ、さらに、前記水平仕切板には前記水槽部内の汚れた水を排出する排水部が設けられている。
【０００９】
上記構成に於いて、筐体に開閉自在に設けられた蓋体にはパネル式の操作ボタン及び表示部が設けられていることを特徴とする。また筐体に開閉自在に設けられた蓋体にはパネル式の操作ボタン及び表示部が設けられていることを特徴とする。さらに、筐体の水槽部には、蛇口と給水ホースを介して接続する給水部が設けられていることを特徴とする
【考案の効果】
【００１０】
本考案の家庭用洗濯機は、持ち運び可能なので、特定の場所に設置する必要が無く、好きな場所に手軽に置くことができる。したがって、例えば本考案の洗濯機を台所等に置くと、布巾、ハンカチ、お手拭きなどの汚れた洗濯物を特定の場所にとらわれず簡単に洗濯し、かつ汚れた洗濯水を容易に排水することができる。
【図面の簡単な説明】
【００１１】
図１乃至図４は本考案の第１実施形態を示す各説明図、図５乃至図８は本考案の第２実施形態を示す各説明図である。
【図１】第１実施形態を示す斜視図。
【図２】図１における２−２線概略断面図。
【図３】第１実施形態の撹拌状態を示す説明図。
【図４】第１実施形態の排水状態を示す説明図。
【図５】第２実施形態を示す斜視図。
【図６】図５における６−６線概略断面図。
【図７】第２実施形態の撹拌状態を示す説明図。
【図８】第２実施形態の排水状態を示す説明図。
【考案を実施するための形態】
【００１２】
以下、図１乃至図４を参照にして、第１実施形態の家庭用洗濯機Ｘを説明する。
【００１３】
この家庭用洗濯機は、台所、洗面所、ベランダなど任意の場所に把手をもって手軽に持ち運びすることができるように、形状、大きさ、材質などに工夫をしている。例えば大きさは、幅３０ｃｍ×高さ３０ｃｍ×奥行３０ｃｍで、重量は２ｋｇ程度である。
１は筐体である。この筐体１は上端開口１ａの箱状に形成されている。なお、筐体の前面１ｂには押釦式の開閉ボタン３が設けられている。また開閉ボタン３の内端部には、図示しない蓋体２の係合部と係脱する爪状の被係合部が設けられている。
前記蓋体２は、周知のように筐体１の上部開口１ａを閉じることができるようにヒンジを介して回動自在に設けられている。４は断面コ字形状の把手で、この把手は左右の側壁１ｃ、１ｃの上部に形成された凹所状の軸孔１ｄ、１ｄに回動可能に嵌合する一対の軸部４ａ、４ａを有する。なお、把手４は筐体１又は蓋体２のいずれかに回転自在に設けられている。また把手４の形状如何は問わない。
【００１４】
さて、筐体１は、その内部の底壁１ｅ側が水平仕切板９で上下に分割された二重底であり、実施形態では、下部側の比較的狭い空間の駆動源収納部７と、広い空間に相当する上部側のステンレス製の内壁を有する水槽部８に二分割されている。前記駆動源収納部７の略中央部には、駆動モーター１０が設けられ、この駆動モーターと垂直駆動軸は水平仕切板９の中心孔９ａとシールを介して貫通している。
【００１５】
ところで、前記中心孔９ａには、水槽部８から駆動源収納部７に水が漏れないようにシール部材９ｃが設けられている。
【００１６】
さらに付言すると、水平仕切板９の上面中心部には、撹拌用の水平パルセーター１１が配設され、この水平パルセーター１１は、前記駆動モーター１０の垂直駆動軸１０ａと共に回転可能である。
【００１７】
１５は仕切板９の一端部に形成された排水口９ｂに取付けられ、かつ、洗濯後の汚れた水Ｗ１を外部に排出する排水ホースである。また蓋体２の適宜箇所には、パネル式の操作ボタン２０と表示部２１が設けられている。
【００１８】
ところで、排水ホース１５は、実施形態では水槽部８は水平仕切板９の排出口としての排水口９ｂに直接又は間接的に取付けられているが、望ましくは筐体１の外壁に接手を介して取り外し可能に設けられている。
【００１９】
また図示しない制御部が、蓋体に内蔵され、該制御部は操作ボタン２０の操作信号及び記憶部に格納された洗濯プログラムに基づいて駆動モーター１０を制御すると共に、洗濯情報はパネル式表示部２１にあらわれる。
【００２０】
次に図３を含めて、駆動モーター１０及び水平パルセーター１１を説明する。
水平パルセーター１１は、駆動モーター１０の垂直駆動軸１０ａに一体的に設けられている。垂直駆動軸１０ａが左右に回転すると、水槽部８内に洗濯を含む水Ｗで洗濯物Ｙは撹拌される。なお、駆動モーター１０は電源接続コード４０を介して駆動源用電源３５（家庭用電源）に接続しているものの、この駆動用電源３５はこの実施形態に限定されるものではなく、例えば筐体の駆動源収納部７に収納できるバッテリーであっても良い。
【００２１】
上記構成にあっては、例えば図３及び図４で示すように家庭用洗濯機Ｘを使用する。まず図３は、家庭用洗濯機Ｘの撹拌（洗濯）状態を示す。この図３で示すように、家庭用洗濯機Ｘの使用者は、筐体１の水槽部８に水Ｗ、洗濯物Ｙ、洗剤等を入れ、蓋体２に設けられた操作ボタン２０をＯＮにする。この操作ボタンをＯＮにすると、駆動モーター１０の駆動可能な垂直駆動軸１０ａが、例えば左右に回転して、水平パルセーター１１が洗濯物Ｙを撹拌する。
【００２２】
次に図４は、家庭用洗濯機Ｘの水平パルセーター１１の撹拌で汚れた水Ｗ１を排出する排水状態を示す。この図４で示すように、家庭用洗濯機Ｘの使用者は、排水ホースを水槽部８の高さより低い位置にし、水槽部の汚れた水Ｗ１を自然に排出する。
次に、図５乃至図８は本考案の第２実施形態を示す各説明図である。なお、第２実施形態の説明に当たって、第１実施形態と同一の部分には同一又は同様の符号を付して重複する説明を割愛する。
【００２３】
この第２実施形態の家庭用洗濯機Ｘ１が前記第１実施形態のそれと主に異なる点は、筐体１Ａの水槽部８Ａに、水道の蛇口３０からの水Ｗを給水する給水部としての給入管３１を設けたことである。
【００２４】
そして、水槽部８Ａ水平仕切板９の中心孔９ａに貫通する駆動モーター１０Ａの駆動力で回動すると共に、多数の脱水孔２５ａを有する脱水槽２５を設けている。すなわち、家庭用洗濯機Ｘ１は、給入管３１と脱水槽２５を備え、前記給水部筐は蛇口と給水ホースを介して接続可能である。
【００２５】
したがって、家庭用洗濯機Ｘ１は、脱水機能等を有する家庭用洗濯機Ｘ１ということに成る。以上のように構成しても、本考案の主たる課題を達成することができる。
【産業上の利用可能性】
【００２６】
本考案は、片手で持ち運びできるポータブル洗濯機で、例えば使用者が台所等に自由に置くことができるものである。
【符号の説明】
【００２７】
Ｘ、Ｘ１…家庭用洗濯機、
Ｙ…洗濯物、
Ｗ…水、
１…筐体、
２…蓋体、
３…開閉ボタン、
４…把手、
７、７Ａ…駆動源収納部、
８…水槽部、
９…水平仕切板、
１０、１０Ａ…駆動モーター、
１１…水平パルセーター、
１５…排水ホース、
２０…操作ボタン。
２１…表示部、
２５…脱水槽、
３０…蛇口、
３１…給水菅。
【図１】
0003212457.tif 000003
【図２】
0003212457.tif 000004
【図３】
0003212457.tif 000005
【図４】
0003212457.tif 000006
【図５】
0003212457.tif 000007
【図６】
0003212457.tif 000008
【図７】
0003212457.tif 000009
【図８】
0003212457.tif 000010
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
筐体を有し、かつ、把手をもって片手で手軽に持ち運びすることができる家庭用洗濯機であって、前記筐体の内部は水平仕切板により駆動源収納部と水槽部に二分割され、下方の前記駆動源収納部には垂直駆動軸を有する駆動モーターが設けられ、一方、上方の前記水槽部には前記駆動モーターの駆動力で回転する水平パルセーターが設けられ、さらに、前記水平仕切板には前記水槽部内の汚れた水を排出する排水部が設けられている家庭用洗濯機。
【請求項２】
請求項１の家庭用洗濯機に於いて、筐体に開閉自在に設けられた蓋体にはパネル式の操作ボタン及び表示部が設けられていることを特徴とする家庭用洗濯機。
【請求項３】
請求項１の家庭用洗濯機に於いて、駆動モーターの垂直駆動軸の上端部には洗濯物を脱水する脱水槽が設けられ、この脱水槽は水槽部に配設されていることを特徴とする家庭用洗濯機。
【請求項４】
請求項１の家庭用洗濯機に於いて、筐体の水槽部には、蛇口と給水ホースを介して接続する給水部が設けられていることを特徴とする家庭用洗濯機。  
【手続補正２】
【補正対象書類名】明細書
【補正対象項目名】全文
【補正方法】変更
【補正の内容】
【考案の詳細な説明】
【技術分野】
【０００１】
本考案は、布巾、ハンカチ、お手拭きなどの小物類を簡単に洗濯するための家庭用洗濯機に関する。
【背景技術】
【０００２】
特許文献１及び特許文献２は、それぞれ小型洗濯機に関するものである。普通一般に布巾、ハンカチ、お手拭きなどの小物類の布を洗濯機で洗濯する場合、特定場所に固定的に設置されたやや大型の洗濯機を使用しなければならない。したがって、汚れた少量の布巾、ハンカチ、お手拭きなどの小物を手軽に所望する場所で自由に洗濯することができないという問題点があった。
【０００３】
特許文献１は、洗濯機本体１の上部に洗濯機のフタ２を設け、この洗濯機のフタ２にハンドル５を設けかつ持ち運び出来る小型洗濯機が記載されている（符号は特許文献１のもの）。
この特許文献１の小型洗濯機は、小型で持ち運びできるという利点があるものの、ハンドル５がフタ２と一体になっているので、小型洗濯機を持ち上げる時、また、洗濯機本体１の内部は水平仕切板を介して上下に分割されていない。さらに、排水手段を有していないため、汚れた水を捨てる場合、そのつど洗濯機本体１を傾け汚れた水を捨てなければならない等の欠点がある。
【０００４】
特許文献２は、下台体１０、洗濯槽２０、蓋体３０により構成された小型洗濯機である。この小型洗濯機は、下台体１０に設けられた内部モーターの伝動シャフト１１により洗濯槽２０に設けられたターンテーブル２１を正、逆回転するものである。
この特許文献２の小型洗濯機は、小型であるものの、駆動部を有する下台１０と、洗濯槽２０と蓋体３０との３つとからなり、これらの部品は一体的に運ぶものではない。
【０００５】
また特許文献１と同じく排水手段を有しないため、汚れた水をそのつど洗濯槽２０を傾けて捨てなければならない等の問題点があった（符号は特許文献２のもの）。
【先行技術文献】
【特許文献】
【０００６】
【特許文献１】実開平５−２１８８５号公報
【特許文献２】実用新案登録第３０８７６３８号公報
【考案の概要】
【考案が解決しようとする課題】
【０００７】
本考案の主たる課題は、特許文献１及び特許文献２の問題点に鑑み、家庭用洗濯機に於いて、使用者が手軽に持ち運びでき、好きな所に置き、布巾、ハンカチ、お手拭きなどの汚れた小物類を、簡単に洗うことができ、かつ、汚れた水を排水できることである。
【課題を解決するための手段】
【０００８】
本考案の家庭用洗濯機は、筐体を有し、かつ、把手をもって片手で手軽に持ち運びすることができる家庭用洗濯機であって、前記筐体の内部は水平仕切板により駆動源収納部と水槽部に二分割され、下方の前記駆動源収納部には垂直駆動軸を有する駆動モーターが設けられ、一方、上方の前記水槽部には前記駆動モーターの駆動力で回転する水平パルセーターが設けられ、さらに、前記水平仕切板には前記水槽部内の汚れた水を排出する排水部が設けられている。
【０００９】
上記構成に於いて、筐体に開閉自在に設けられた蓋体にはパネル式の操作ボタン及び表示部が設けられていることを特徴とする。また筐体に開閉自在に設けられた蓋体にはパネル式の操作ボタン及び表示部が設けられていることを特徴とする。さらに、筐体の水槽部には、蛇口と給水ホースを介して接続する給水部が設けられていることを特徴とする。
【考案の効果】
【００１０】
本考案の家庭用洗濯機は、持ち運び可能なので、特定の場所に設置する必要が無く、好きな場所に手軽に置くことができる。したがって、例えば本考案の洗濯機を台所等に置くと、布巾、ハンカチ、お手拭きなどの汚れた洗濯物を特定の場所にとらわれず簡単に洗濯し、かつ汚れた洗濯水を容易に排水することができる。
【図面の簡単な説明】
【００１１】
図１乃至図４は本考案の第１実施形態を示す各説明図、図５乃至図８は本考案の第２実施形態を示す各説明図である。
【図１】第１実施形態を示す斜視図。
【図２】図１における２−２線概略断面図。
【図３】第１実施形態の撹拌状態を示す説明図。
【図４】第１実施形態の排水状態を示す説明図。
【図５】第２実施形態を示す斜視図。
【図６】図５における６−６線概略断面図。
【図７】第２実施形態の撹拌状態を示す説明図。
【図８】第２実施形態の排水状態を示す説明図。
【考案を実施するための形態】
【００１２】
以下、図１乃至図４を参照にして、第１実施形態の家庭用洗濯機Ｘを説明する。
【００１３】
この家庭用洗濯機は、台所、洗面所、ベランダなど任意の場所に把手をもって手軽に持ち運びすることができるように、形状、大きさ、材質などに工夫をしている。例えば大きさは、幅３０ｃｍ×高さ３０ｃｍ×奥行３０ｃｍで、重量は２ｋｇ程度である。
１は筐体である。この筐体１は上端開口１ａの箱状に形成されている。なお、筐体の前面１ｂには押釦式の開閉ボタン３が設けられている。また開閉ボタン３の内端部には、図示しない蓋体２の係合部と係脱する爪状の被係合部が設けられている。
前記蓋体２は、周知のように筐体１の上部開口１ａを閉じることができるようにヒンジを介して回動自在に設けられている。４は断面コ字形状の把手で、この把手は左右の側壁１ｃ、１ｃの上部に形成された凹所状の軸孔１ｄ、１ｄに回動可能に嵌合する一対の軸部４ａ、４ａを有する。なお、把手４は筐体１又は蓋体２のいずれかに回転自在に設けられている。また把手４の形状如何は問わない。
【００１４】
さて、筐体１は、その内部の底壁１ｅ側が水平仕切板９で上下に分割された二重底であり、実施形態では、下部側の比較的狭い空間の駆動源収納部７と、広い空間に相当する上部側のステンレス製の内壁を有する水槽部８に二分割されている。前記駆動源収納部７の略中央部には、駆動モーター１０が設けられ、この駆動モーターと垂直駆動軸は水平仕切板９の中心孔９ａとシールを介して貫通している。
【００１５】
ところで、前記中心孔９ａには、水槽部８から駆動源収納部７に水が漏れないようにシール部材９ｃが設けられている。
【００１６】
さらに付言すると、水平仕切板９の上面中心部には、撹拌用の水平パルセーター１１が配設され、この水平パルセーター１１は、前記駆動モーター１０の垂直駆動軸１０ａと共に回転可能である。
【００１７】
１５は仕切板９の一端部に形成された排水口９ｂに取付けられ、かつ、洗濯後の汚れた水Ｗ１を外部に排出する排水ホースである。また蓋体２の適宜箇所には、パネル式の操作ボタン２０と表示部２１が設けられている。
【００１８】
ところで、排水ホース１５は、実施形態では水槽部８は水平仕切板９の排出口としての排水口９ｂに直接又は間接的に取付けられているが、望ましくは筐体１の外壁に接手を介して取り外し可能に設けられている。
【００１９】
また図示しない制御部が、蓋体に内蔵され、該制御部は操作ボタン２０の操作信号及び記憶部に格納された洗濯プログラムに基づいて駆動モーター１０を制御すると共に、洗濯情報はパネル式表示部２１にあらわれる。
【００２０】
次に図３を含めて、駆動モーター１０及び水平パルセーター１１を説明する。水平パルセーター１１は、駆動モーター１０の垂直駆動軸１０ａに一体的に設けられている。垂直駆動軸１０ａが左右に回転すると、水槽部８内に洗濯を含む水Ｗで洗濯物Ｙは撹拌される。なお、駆動モーター１０は電源接続コード４０を介して駆動源用電源３５（家庭用電源）に接続しているものの、この駆動用電源３５はこの実施形態に限定されるものではなく、例えば筐体の駆動源収納部７に収納できるバッテリーであっても良い。
【００２１】
上記構成にあっては、例えば図３及び図４で示すように家庭用洗濯機Ｘを使用する。まず図３は、家庭用洗濯機Ｘの撹拌（洗濯）状態を示す。この図３で示すように、家庭用洗濯機Ｘの使用者は、筐体１の水槽部８に水Ｗ、洗濯物Ｙ、洗剤等を入れ、蓋体２に設けられた操作ボタン２０をＯＮにする。この操作ボタンをＯＮにすると、駆動モーター１０の駆動可能な垂直駆動軸１０ａが、例えば左右に回転して、水平パルセーター１１が洗濯物Ｙを撹拌する。
【００２２】
次に図４は、家庭用洗濯機Ｘの水平パルセーター１１の撹拌で汚れた水Ｗ１を排出する排水状態を示す。この図４で示すように、家庭用洗濯機Ｘの使用者は、排水ホースを水槽部８の高さより低い位置にし、水槽部の汚れた水Ｗ１を自然に排出する。
次に、図５乃至図８は本考案の第２実施形態を示す各説明図である。なお、第２実施形態の説明に当たって、第１実施形態と同一の部分には同一又は同様の符号を付して重複する説明を割愛する。
【００２３】
この第２実施形態の家庭用洗濯機Ｘ１が前記第１実施形態のそれと主に異なる点は、筐体１Ａの水槽部８Ａに、水道の蛇口３０からの水Ｗを給水する給水部としての給入管３１を設けたことである。
【００２４】
そして、水槽部８Ａ水平仕切板９の中心孔９ａに貫通する駆動モーター１０Ａの駆動力で回動すると共に、多数の脱水孔２５ａを有する脱水槽２５を設けている。すなわち、家庭用洗濯機Ｘ１は、給入管３１と脱水槽２５を備え、前記給水部は蛇口と給水ホースを介して接続可能である。
【００２５】
したがって、家庭用洗濯機Ｘ１は、脱水機能等を有する家庭用洗濯機Ｘ１ということに成る。以上のように構成しても、本考案の主たる課題を達成することができる。
【産業上の利用可能性】
【００２６】
本考案は、片手で持ち運びできるポータブル洗濯機で、例えば使用者が台所等に自由に置くことができるものである。
【符号の説明】
【００２７】
Ｘ、Ｘ１…家庭用洗濯機、
Ｙ…洗濯物、
Ｗ…水、
１…筐体、
２…蓋体、
３…開閉ボタン、
４…把手、
７、７Ａ…駆動源収納部、
８…水槽部、
９…水平仕切板、
１０、１０Ａ…駆動モーター、
１１…水平パルセーター、
１５…排水ホース、
２０…操作ボタン。
２１…表示部、
２５…脱水槽、
３０…蛇口、
３１…給水菅。